(57)【要約】【課題】複数の分岐方向に対応可能な分岐プロテクタを提供する。【解決手段】第一の支線引き出し部２４及び第三の支線引き出し部２６を用いて垂直方向Ｐと斜め方向Ｒとに支線を引き出す。この他に、第二の支線引き出し部２５及び第三の支線引き出し部２６を用いて水平方向Ｑと斜め方向Ｒとに引き出すことができる。また、第一の支線引き出し部２４、第二の支線引き出し部２５、及び第三の支線引き出し部２６を用いて垂直方向Ｐと水平方向Ｑと斜め方向Ｒとに引き出すことができる。また、第一の支線引き出し部２４のみを用いて垂直方向Ｐに単独で引き出すことができる。また、第二の支線引き出し部２５のみを用いて水平方向Ｑに単独で引き出すことができる。また、第三の支線引き出し部２６のみを用いて斜め方向Ｒに単独で引き出すことができる。【選択図】図１
2008236938.tif 000002
【特許請求の範囲】
【請求項１】
幹線と支線とに分岐した部分となるワイヤハーネスの分岐部を保護するための分岐プロテクタにおいて、
プロテクタ本体と、該プロテクタ本体に嵌合するプロテクタ蓋体とを備え、前記プロテクタ本体に第一及び第二の支線引き出し部を設けるとともに、前記プロテクタ蓋体に第三の支線引き出し部を設ける
ことを特徴とする分岐プロテクタ。
【請求項２】
請求項１に記載の分岐プロテクタにおいて、
前記第一及び第二の支線引き出し部を垂直及び水平方向の引き出し部とするとともに、前記第三の支線引き出し部を前記第一及び第二の支線引き出し部の間に引き出す斜め方向の引き出し部とする
ことを特徴とする分岐プロテクタ。
【請求項３】
請求項２に記載の分岐プロテクタにおいて、
前記プロテクタ蓋体を、前記支線の分岐パターンに応じて前記第三の支線引き出し部の向きを変更した複数種の中から選んで使用する分岐パターン対応部品とするとともに、前記プロテクタ本体を、前記プロテクタ蓋体の種類に関係なく共通に使用する共通使用部品とする
ことを特徴とする分岐プロテクタ。
【発明の詳細な説明】
【技術分野】
【０００１】
本発明は、幹線と支線とに分岐した部分となるワイヤハーネスの分岐部を保護するための分岐プロテクタに関する。
【背景技術】
【０００２】
下記特許文献１に開示された分岐プロテクタについて説明する。図１３（ａ）は分岐プロテクタをワイヤハーネスの分岐部に組み付けする前の状態を示す斜視図、図１３（ｂ）は分岐プロテクタをワイヤハーネスの分岐部に組み付けた後の状態を示す斜視図である。
【０００３】
図１３において、引用符号１はワイヤハーネス２の分岐部を保護するための分岐プロテクタを示している。上記分岐部は、ワイヤハーネス２における幹線３と支線４とに分岐した部分であって、このような分岐部に分岐プロテクタ１が取り付けられている。分岐プロテクタ１は、幹線３及び支線４にそれぞれコルゲートチューブ５を設けた状態で分岐部に取り付けられている。
【０００４】
分岐プロテクタ１は、ヒンジ６を有する図示のような二つ割り構造になっている。すなわち、分岐プロテクタ１は、ヒンジ６を介してこの両側に連続する半割体７及び８を有する構造になっている。分岐プロテクタ１は、半割体７及び８を重ね合わせた状態で幹線３側を保護する幹線部９と、支線４側を保護する支線部１０とを有する構造になっている。分岐プロテクタ１は、幹線部９と支線部１０とでＴ字状の形状に、言い換えれば一つの支線４を幹線３に対して直角方向に引き出すことができるような形状になっている。
【０００５】
分岐プロテクタ１は、図１３の場合、垂直方向に支線４を引き出して使用するようになっているが、この分岐プロテクタ１を幹線３の軸を中心に回転させて図１３とは異なる向きで使用するようにすれば、支線４を例えば水平方向や、斜め方向に引き出すことができるようになっている。
【０００６】
分岐プロテクタ１は、図１３から分かるように、支線４を一つのみ分岐する場合に適したものとなっている。
【０００７】
分岐プロテクタ１は、ヒンジ６を用いた二つ割り構造であることから、支線部１０におけるコルゲートチューブ５の固定構造が複雑化している。
【特許文献１】特開平９−２９４３２０号公報
【発明の開示】
【発明が解決しようとする課題】
【０００８】
分岐プロテクタ１を例えば自動車のエンジンルーム内で使用する場合、従来の分岐プロテクタ１にあっては、次のような問題点を有している。すなわち、近年のエンジンルーム内のレイアウトの関係から、分岐部を二つ又は三つの支線に分岐させて形成したいという要望があり、これに対して分岐プロテクタ１は、構造上、幾つかの分岐方向に対応可能なプロテクタでないことから、上記の要望に当然に応えることができないという問題点を有している。
【０００９】
従来の分岐プロテクタ１にあっては、支線を垂直方向と水平方向とに分岐させたい場合、支線を垂直方向と斜め方向とに分岐させたい場合、支線を水平方向と斜め方向とに分岐させたい場合、或いは、斜め方向が幾つかの角度パターンを有し、角度パターンに応じて垂直方向又は水平方向と組み合わせて支線を分岐させたい場合などの要望に応えることができず、これらの要望全てに応えるようにするためには新規プロテクタを複数起こす必要があると考えられる。しかしながら、このような対応策では大幅なコスト増になってしまうという問題点を有している。
【００１０】
本発明は、上述した事情に鑑みてなされたもので、複数の分岐方向に対応可能な分岐プロテクタを提供することを課題とする。
【課題を解決するための手段】
【００１１】
上記課題を解決するためになされた請求項１記載の本発明の分岐プロテクタは、幹線と支線とに分岐した部分となるワイヤハーネスの分岐部を保護するための分岐プロテクタにおいて、プロテクタ本体と、該プロテクタ本体に嵌合するプロテクタ蓋体とを備え、前記プロテクタ本体に第一及び第二の支線引き出し部を設けるとともに、前記プロテクタ蓋体に第三の支線引き出し部を設けることを特徴としている。
【００１２】
このような特徴を有する本発明によれば、幹線から分岐した最大三つの支線、すなわち一つの支線、二つの支線、又は三つの支線は、第一の支線引き出し部、第二の支線引き出し部、第三の支線引き出し部の対応する支線引き出し部からそれぞれ引き出される。
【００１３】
請求項２記載の本発明の分岐プロテクタは、請求項１に記載の分岐プロテクタにおいて、前記第一及び第二の支線引き出し部を垂直及び水平方向の引き出し部とするとともに、前記第三の支線引き出し部を前記第一及び第二の支線引き出し部の間に引き出す斜め方向の引き出し部とすることを特徴としている。
【００１４】
このような特徴を有する本発明によれば、幹線から分岐した最大三つの支線、すなわち一つの支線、二つの支線、又は三つの支線は、垂直及び水平方向の第一の支線引き出し部及び第二の支線引き出し部、斜め方向の第三の支線引き出し部の対応する支線引き出し部からそれぞれ引き出される。
【００１５】
請求項３記載の本発明の分岐プロテクタは、請求項２に記載の分岐プロテクタにおいて、前記プロテクタ蓋体を、前記支線の分岐パターンに応じて前記第三の支線引き出し部の向きを変更した複数種の中から選んで使用する分岐パターン対応部品とするとともに、前記プロテクタ本体を、前記プロテクタ蓋体の種類に関係なく共通に使用する共通使用部品とすることを特徴としている。
【００１６】
このような特徴を有する本発明によれば、垂直及び水平方向の第一の支線引き出し部及び第二の支線引き出し部を有するプロテクタ本体が共通使用部品、斜め方向の第三の支線引き出し部を有するプロテクタ蓋体が分岐パターン対応部品となる。支線の分岐パターンに応じて新設する部品は、プロテクタ蓋体のみとなる。
【００１７】
本発明の分岐プロテクタに関し、前記第一の支線引き出し部、前記第二の支線引き出し部、及び前記第三の支線引き出し部のそれぞれにテープ巻き部の機能を持たせることも特徴になる。このような特徴によれば、引き出された支線は、直接又はコルゲートチューブを介してテープ巻きされ、これにより固定される。
【００１８】
また、本発明の分岐プロテクタに関し、前記プロテクタ本体に、分岐プロテクタ取付先となるパネル部材への係止用クリップを設けることも特徴になる。このような特徴によれば、係止クリップを用いて分岐プロテクタをパネル部材に固定すると、分岐部から分岐して引き出された支線の引き出し方向が安定する。また、分岐プロテクタをパネル部材に固定することで、ワイヤハーネスも固定され、配索位置が安定する。
【発明の効果】
【００１９】
請求項１に記載された本発明によれば、三つの支線引き出し部を有することから、最大三つの分岐方向に対応することができるという効果を奏する。請求項２に記載された本発明によれば、垂直方向、水平方向、斜め方向の三つの分岐方向に対応することができるという効果を奏する。請求項３に記載された本発明によれば、支線の分岐パターンに応じて新設する部品をプロテクタ蓋体のみとして極力コスト増とならない構造にすることができるという効果を奏する。
【発明を実施するための最良の形態】
【００２０】
以下、図面を参照しながら説明する。図１は本発明の分岐プロテクタの一実施の形態を示す分岐部保護時の斜視図である。また、図２は分岐プロテクタの分岐部保護時の平面図、図３は分岐プロテクタの分岐部保護時の正面図、図４は分岐プロテクタの分岐部保護時の側面図、図５は分岐プロテクタの単体での斜視図、図６はプロテクタ本体の斜視図、図７はプロテクタ蓋体の斜視図、図８は分岐プロテクタの単体での側面図である。
【００２１】
図１ないし図４において、引用符号２１は本発明の分岐プロテクタを示している。分岐プロテクタ２１は、ワイヤハーネスの分岐部を保護するための合成樹脂製の部品であって、プロテクタ本体２２と、このプロテクタ本体２２に嵌合するプロテクタ蓋体２３とを備えて構成されている。
【００２２】
分岐プロテクタ２１は、プロテクタ本体２２に第一の支線引き出し部２４及び第二の支線引き出し部２５を設けるとともに、プロテクタ蓋体２３に第三の支線引き出し部２６を設けて複数の分岐方向に対応することが可能な構造とする点が特徴になっている。
【００２３】
ここでの説明は、ワイヤハーネスの図示を省略した図面を各々参照しながら進めるものとする。尚、特に限定するものでないが、図中の矢印Ｐは垂直方向を示している。また、矢印Ｑは水平方向を示し、矢印Ｒは斜め方向を示し、矢印Ｓはワイヤハーネスの軸方向を示している。
【００２４】
上記ワイヤハーネスは既知のものであって、複数の電線を断面略円形状に束ねるようにして製造されている。ワイヤハーネスは、幹線とこの幹線から分岐される複数の支線とで形成される分岐部を有しており、ここでの説明においては、支線の分岐が二つの分岐となるように分岐部が形成されている。分岐部は、二つの支線がそれぞれ分岐プロテクタ２１から引き出されるようになっている（後の説明から分かるようになるが、分岐部における分岐の数は一つ又は三つでも本発明の分岐プロテクタ２１で対応することが可能である）。
【００２５】
ワイヤハーネスの幹線には、大径の幹線用コルゲートチューブ２７、２７が設けられている。この幹線用コルゲートチューブ２７、２７は、分岐部を間にしてこの分岐部の両側にそれぞれ設けられている。また、ワイヤハーネスの二つの支線には、それぞれ小径の支線用コルゲートチューブ２８、２８が設けられている。支線用コルゲートチューブ２８、２８は、それぞれ分岐部からのびるように設けられている。
【００２６】
ワイヤハーネスは、この外側に幹線用コルゲートチューブ２７及び支線用コルゲートチューブ２８を設けた状態で分岐プロテクタ２１によって分岐部が保護されるようになっている。
【００２７】
図５において、分岐プロテクタ２１は、プロテクタ本体２２とプロテクタ蓋体２３とが複数のロック部２９を介して嵌合し合い、これによって一体化するような構造になっている。本形態の分岐プロテクタ２１は、プロテクタ本体２２が共通使用部品、プロテクタ蓋体２３が分岐パターン対応部品として位置づけされるようになっている。本形態の分岐プロテクタ２１において、支線の分岐パターンに応じて新設する必要性のある部品は、プロテクタ蓋体２３のみとなっている。
【００２８】
図５及び図６において、プロテクタ本体２２は、略半円筒状の本体側幹線対応部３０と、この本体側幹線対応部３０に連続するテープ巻き部３１、３１と、同じく本体側幹線対応部３０に連続する上記の第一の支線引き出し部２４及び第二の支線引き出し部２５とを有している。本体側幹線対応部３０には、これにプロテクタ蓋体２３が嵌合するようになっている。プロテクタ蓋体２３が嵌合した状態においては、幹線用コルゲートチューブ２７、２７の外周が全周にわたって本体側幹線対応部３０とプロテクタ蓋体２３とによって囲まれるようになっている。
【００２９】
本体側幹線対応部３０に関し、矢印Ｓ方向両端の略半円弧状の端面３２、３２には、テープ巻き部３１、３１が矢印Ｓ方向にのびるようにそれぞれ連成されている。テープ巻き部３１、３１は、この部分に図示しないテープ巻きを施すことによって幹線用コルゲートチューブ２７、２７を固定することができるように形成されている。
【００３０】
また、本体側幹線対応部３０に関し、矢印Ｓ方向に平行でプロテクタ蓋体２３の嵌合面となる一対の端面３３、３４の各中央位置には、第一の支線引き出し部２４及び第二の支線引き出し部２５が連成されている。第一の支線引き出し部２４は、矢印Ｐ方向となる垂直方向にのびるように端面３３の中央位置に連成されている。また、第二の支線引き出し部２５は、矢印Ｑ方向となる水平方向にのびるように端面３４の中央位置に連成されている。
【００３１】
端面３３、３４の各中央位置には、半円弧状の切り欠き部分が形成されている。この切り欠き部分には、開口縁から第一の支線引き出し部２４や第二の支線引き出し部２５が所定の方向にのびるように連成されている。
【００３２】
本形態において、第一の支線引き出し部２４と第二の支線引き出し部２５とで挟む角度は９０度に設定されている（図４参照）。しかしながら、これに限らず例えば９５度のように若干外側に角度が開くように設定しても良いものとする（角度を狭めることも可能であるが、プロテクタ蓋体２３に設ける第三の支線引き出し部２６の配置や角度、支線用コルゲートチューブ２８の径などを考慮する必要がある）。
【００３３】
また、本体側幹線対応部３０に関し、端面３３、３４には、ロック部２９を構成する略枠状の係止部３５がそれぞれ形成されている。係止部３５は四つ形成されており、第一の支線引き出し部２４や第二の支線引き出し部２５の両側に形成されている。
【００３４】
また、本体側幹線対応部３０に関し、この外周面の中央位置には、分岐プロテクタ取付先となるパネル部材（図示省略）に引っ掛かると係止状態が形成される係止用クリップ３６が設けられている。係止用クリップ３６は、可撓性のある係止羽根と、この係止羽根が連続する支柱とを有している。引用符号３７、３８はパネル部材（図示省略）に当接して係止用クリップ３６の係止状態を維持するための凸部を示している。
【００３５】
図５及び図７において、プロテクタ蓋体２３は、略半円筒状の蓋体側幹線対応部３９と、この蓋体側幹線対応部３９に連続する上記の第三の支線引き出し部２６とを有している。蓋体側幹線対応部３９は、プロテクタ本体２２の本体側幹線対応部３０に嵌合するように形成されている。
【００３６】
蓋体側幹線対応部３９に関し、矢印Ｓ方向に平行でプロテクタ本体２２に対する嵌合面となる一対の端面４０、４１の各中央位置には、切り欠き部分４２、４３が形成されている。切り欠き部分４２は、プロテクタ本体２２の第一の支線引き出し部２４の位置に合わせて形成されている。切り欠き部４２は、第一の支線引き出し部２４から引き出す支線用コルゲートチューブ２８の径に合わせて形成されている。
【００３７】
切り欠き部４３は、プロテクタ本体２２の第二の支線引き出し部２５の位置に合わせて形成されている。切り欠き部４３は、プロテクタ蓋体２３に設ける第三の支線引き出し部２６の形成部分にもなっている。切り欠き部４３は、第二の支線引き出し部２５から引き出す支線用コルゲートチューブ２８の径と、第三の支線引き出し部２６から引き出す支線用コルゲートチューブ２８の径の両方を考慮して形成されている（支線用コルゲートチューブ２８を介して支線を第二の支線引き出し部２５から引き出す場合の例については、図９ないし図１２を参照しながら後述する）。
【００３８】
第三の支線引き出し部２６は、切り欠き部４３の円弧状の部分の開口縁に形成されている。第三の支線引き出し部２６は、図４及び図８に示す如く、斜め方向（矢印Ｒ参照）にのびるように形成されている。第三の支線引き出し部２６は、本形態において、第一の支線引き出し部２４や第二の支線引き出し部２５に対し４５度の角度となるように形成されている（角度は一例であるものとする）。
【００３９】
図８において、第三の支線引き出し部２６は、第一の支線引き出し部２４及び第二の支線引き出し部２５よりも長く形成されている。これは、第三の支線引き出し部２６の先端と、第二の支線引き出し部２５から寸法Ｌ（任意の長さとする）だけ離れた位置との間となる、図示のＴの範囲にテープ巻き部４４を設定するために長くなっている。
【００４０】
第三の支線引き出し部２６は、先に第二の支線引き出し部２５にテープ巻きを施した状態であっても、テープ巻き部４４でのテープ巻き作業がスムーズに行えるように配慮して長く形成されている（これに限定するものではなく、他の二つと同じような長さにしても良いものとする）。
【００４１】
図８中の引用符号４５は、第一の支線引き出し部２４のテープ巻き部を示している。また、引用符号４６は、第二の支線引き出し部２５のテープ巻き部を示している。第一の支線引き出し部２４における引用符号４７は、支線の引き出しを考慮して形成される膨出部分を示している。
【００４２】
蓋体側幹線対応部３９に関し、端面４０、４１には、ロック部２９を構成する略爪状の係止突起４８がそれぞれ形成されている。係止突起４８は四つ形成されている。係止突起４８は、プロテクタ本体２２の係止部３５の位置に合わせて形成されている。
【００４３】
上記構成において、ワイヤハーネスの幹線に幹線用コルゲートチューブ２７、２７を設けるとともに、ワイヤハーネスの二つの支線に支線用コルゲートチューブ２８、２８を設け、この状態でワイヤハーネスの分岐部をプロテクタ本体２２にセットし、そして、プロテクタ蓋体２３をプロテクタ本体２２に嵌合させてテープ巻き（図示省略）を施すと、図１ないし図４に示す如く、ワイヤハーネスの分岐部が本発明の分岐プロテクタ２１により覆われて保護される。
【００４４】
本形態において、ワイヤハーネスの二つの支線は、矢印Ｐの垂直方向と、斜め４５度の角度となる矢印Ｒの斜め方向とにそれぞれ引き出される。
【００４５】
ワイヤハーネスの分岐部を本発明の分岐プロテクタ２１によって保護した状態で、プロテクタ本体２２の係止用クリップ３６を用い、分岐プロテクタ２１をパネル部材（図示省略）に固定すると、分岐プロテクタ２１の位置が決まることから、支線の引き出し方向とワイヤハーネスの配索位置とが安定する。
【００４６】
以上、図１ないし図８を参照しながら説明してきたように、第一の支線引き出し部２４、第二の支線引き出し部２５、及び第三の支線引き出し部２６を有する構造であることから、複数の分岐方向に対応可能な分岐プロテクタ２１を提供することができるという効果を奏する。
【００４７】
次に、図９ないし図１２を参照しながらワイヤハーネスの支線を上記とは別の方向に引き出す場合の例について説明する。
【００４８】
図９はワイヤハーネスの支線を別の方向に引き出す場合の例を説明するための斜視図である。また、図１０は図９の例の平面図、図１１は正面図、図１２は側面図である。
【００４９】
図９ないし図１２の例は、ワイヤハーネスの支線の引き出し方向が上記の例と異なるだけで、プロテクタ構成は同じであるものとする。すなわち、図９ないし図１２の例では、プロテクタ蓋体２３の図示を省略しているものの、分岐プロテクタ２１は、プロテクタ本体２２とプロテクタ蓋体２３とを備えて構成されている（ここで図示しない構成は図５参照）。
【００５０】
図９ないし図１２の例では、ワイヤハーネスの二つの支線が矢印Ｐの垂直方向と、矢印Ｑの水平方向とにそれぞれ引き出されている。
【００５１】
上記以外の支線の引き出し方向としては、特に図示しないが、第二の支線引き出し部２５及び第三の支線引き出し部２６を用いて水平方向と斜め方向とに引き出すことが挙げられる。また、第一の支線引き出し部２４、第二の支線引き出し部２５、及び第三の支線引き出し部２６を用いて垂直方向と水平方向と斜め方向とに引き出すことが挙げられる。
【００５２】
また、第一の支線引き出し部２４のみを用いて垂直方向に単独で引き出すことが挙げられる。また、第二の支線引き出し部２５のみを用いて水平方向に単独で引き出すことが挙げられる。また、第三の支線引き出し部２６のみを用いて斜め方向に単独で引き出すことが挙げられる。
【００５３】
尚、斜め方向に関しては、上記の４５度に限らず、例えば第三の支線引き出し部２６の角度を水平方向に対して例えば３０度や６０度に変更することも可能であるものとする。この場合、角度を変えた新たなプロテクタ蓋体を製造し、新たなプロテクタ蓋体を共通使用部品としてのプロテクタ本体２２に嵌合させて分岐プロテクタを構成するものとする（プロテクタ本体２２が共通使用部品であることから、新たなプロテクタ蓋体の分だけの金型製作費用で抑えることができる。つまり、最小限の費用に抑えることができる）。
【００５４】
新たに起こすプロテクタ蓋体に関しては、第三の支線引き出し部２６の位置を矢印Ｓ方向（ワイヤハーネスの軸方向）にずらしたものを製造してこれを使用することが一例として挙げられる。また、共通使用部品としてのプロテクタ本体２２に関しては、第一の支線引き出し部２４と第二の支線引き出し部２５のいずれか一方の位置を若干矢印Ｓ方向にずらし、これを共通使用部品として使用することが一例として挙げられる。
【００５５】
本発明の分岐プロテクタ２１は、上記の如く、プロテクタ本体２２とプロテクタ蓋体２３とを備えて構成されている。しかしながら、例えば図９ないし図１２のような垂直方向と水平方向の引き出しにあっては、プロテクタ本体２２の単独使用で対応することも可能である。また、垂直方向のみ、水平方向のみでもプロテクタ本体２２の単独使用で対応することが可能である。この場合、分岐パターン対応部品として位置づけされるプロテクタ蓋体２３は、分岐パターンが「斜め方向の分岐無し」として使用しなくても良いものとする。
【００５６】
その他、本発明は本発明の主旨を変えない範囲で種々変更実施可能なことは勿論である。
【図面の簡単な説明】
【００５７】
【図１】本発明の分岐プロテクタの一実施の形態を示す分岐部保護時の斜視図である。
【図２】分岐プロテクタの分岐部保護時の平面図である。
【図３】分岐プロテクタの分岐部保護時の正面図である。
【図４】分岐プロテクタの分岐部保護時の側面図である。
【図５】分岐プロテクタの単体での斜視図である。
【図６】プロテクタ本体の斜視図である。
【図７】プロテクタ蓋体の斜視図である。
【図８】分岐プロテクタの単体での側面図である。
【図９】ワイヤハーネスの支線を別の方向に引き出す場合の例を説明するための斜視図である。
【図１０】図９の例の平面図である。
【図１１】図９の例の正面図である。
【図１２】図９の例の側面図である。
【図１３】従来例の分岐プロテクタの図であり、（ａ）は分岐プロテクタをワイヤハーネスの分岐部に組み付けする前の状態を示す斜視図、（ｂ）は分岐プロテクタをワイヤハーネスの分岐部に組み付けた後の状態を示す斜視図である。
【符号の説明】
【００５８】
Ｐ  垂直方向
Ｑ  水平方向
Ｒ  斜め方向
Ｓ  ワイヤハーネスの軸方向
２１  分岐プロテクタ
２２  プロテクタ本体
２３  プロテクタ蓋体
２４  第一の支線引き出し部
２５  第二の支線引き出し部
２６  第三の支線引き出し部
２７  幹線用コルゲートチューブ
２８  支線用コルゲートチューブ
２９  ロック部
３０  本体側幹線対応部
３１  テープ巻き部
３２、３３、３４  端面
３５  係止部
３６  係止用クリップ
３７、３８  凸部
３９  蓋体側幹線対応部
４０、４１  端面
４２、４３  切り欠き部分
４４、４５、４６  テープ巻き部
４７  膨出部分
４８  係止突起
【図１】
2008236938.tif 000003
【図２】
2008236938.tif 000004
【図３】
2008236938.tif 000005
【図４】
2008236938.tif 000006
【図５】
2008236938.tif 000007
【図６】
2008236938.tif 000008
【図７】
2008236938.tif 000009
【図８】
2008236938.tif 000010
【図９】
2008236938.tif 000011
【図１０】
2008236938.tif 000012
【図１１】
2008236938.tif 000013
【図１２】
2008236938.tif 000014
【図１３】
2008236938.tif 000015